(57)【要約】【課題】  コピーのために読み取った複数枚のシートを綴じるための操作を簡略化することができる仕組みを提供することを目的とする。【解決手段】  印刷装置は、ステイプル処理を実行するフィニッシャ部５００と、原稿上の画像を読み取って画像データを生成するリーダ部２００と、リーダ部２００が生成した画像データに基づきシートに画像を印刷するプリンタ部３００と、プリンタ部３００によって画像が印刷されたシートに対してステイプル処理が実行される場合に、当該ステイプル処理の綴じ位置に関連する情報をＲＡＭ１５０に格納し、オフラインモードでステイプル処理を実行する場合に、ＲＡＭに格納された情報に基づいて綴じ位置の設定を行う。【選択図】  図８
2016123039.tif 000002
【特許請求の範囲】
【請求項１】
綴じ処理を実行する綴じ処理手段と、
原稿上の画像を読み取って画像データを生成する読取手段と、
前記読取手段が生成した画像データに基づきシートに画像を印刷する印刷手段と、
前記印刷手段によって画像が印刷されたシートに対して前記綴じ処理手段による綴じ処理が実行される場合に、当該綴じ処理の内容に関連する情報を格納する格納手段と、
前記印刷手段による画像の印刷を伴わずに前記綴じ処理手段による綴じ処理を実行する場合に、前記格納手段に格納された情報に基づいて綴じ処理の設定を行う設定手段と、
を備えることを特徴とする印刷装置。
【請求項２】
前記設定手段は、前記印刷手段による画像の印刷を伴わずに前記綴じ処理手段による綴じ処理を実行するためのモードに移行したときに前記設定を行うことを特徴とする請求項１に記載の印刷装置。
【請求項３】
前記格納手段に格納される情報は、実行された綴じ処理の綴じ位置に関連する情報であり、
前記設定手段は、前記格納手段に格納された情報に基づいて綴じ位置の設定を行うことを特徴とする請求項１または２に記載の印刷装置。
【請求項４】
前記格納手段に格納される情報は、実行された綴じ処理が針を用いる綴じ処理が針を用いない綴じ処理かを示す情報であり、前記設定手段は、前記格納手段に格納された情報に基づいて針を用いる綴じ処理を実行するか針を用いない綴じ処理を実行するかの設定を行うことを特徴とする請求項１または２に記載の印刷装置。
【請求項５】
前記設定手段によって行われた設定は、ユーザによって変更可能であることを特徴とする請求項１乃至４のいずれか１項に記載の印刷装置。
【請求項６】
前記印刷手段による画像の印刷を伴わない綴じ処理が前記綴じ処理手段によって実行された場合に、前記格納手段に格納された情報を削除する削除手段を更に備えることを特徴とする請求項１乃至５のいずれか１項に記載の印刷装置。
【請求項７】
前記綴じ処理手段は、前記設定手段が前記設定を行った後、ユーザからの指示に応じて綴じ処理を実行することを特徴とする請求項１乃至６のいずれか１項に記載の印刷装置。
【請求項８】
前記印刷手段による画像の印刷を伴わずに実行される綴じ処理によって、前記読取手段が読み取った原稿が綴じられることを特徴とする請求項１乃至７のいずれか１項に記載の印刷装置。
【請求項９】
綴じ処理を実行する綴じ処理工程と、
原稿上の画像を読み取って画像データを生成する読取工程と、
前記読取工程で生成された画像データに基づきシートに画像を印刷する印刷工程と、
前記印刷工程で画像が印刷されたシートに対して前記綴じ処理工程における綴じ処理が実行される場合に、当該綴じ処理の内容に関連する情報を格納する格納工程と、
前記印刷工程による画像の印刷を伴わずに前記綴じ処理工程における綴じ処理を実行する場合に、前記格納工程で格納された情報に基づいて綴じ処理の設定を行う設定工程と、
を備えることを特徴とする印刷装置の制御方法。
【請求項１０】
コンピュータを請求項１乃至８のいずれか１項に記載の印刷装置の各手段として機能させるためのプログラム。
【発明の詳細な説明】
【技術分野】
【０００１】
本発明は、シートに対する処理を行うことが可能な印刷装置、印刷装置の制御方法、及びプログラムに関する。
【背景技術】
【０００２】
従来、シートに対する処理を行うシート処理装置が知られている。シートに対する処理の具体例としては、針を用いて複数枚のシートを綴じる綴じ処理（ステイプル処理）や、複数枚のシートをかしめることによって針を用いずに綴じる針無し綴じ処理（針無しステイプル処理）などが知られている。
【０００３】
シート処理装置の一例として、シートに画像を印刷する印刷装置の一部として使用されるものがある。シート処理装置が印刷装置の一部として使用される場合、シート処理装置はシートの搬送方向における印刷装置本体の下流側に接続される。そして、画像が印刷されたシートを印刷装置本体から受け取って、そのシートに対してシート処理を行う。
【０００４】
また、印刷装置本体による画像の印刷に伴ってシート処理を行うことに加えて、印刷装置本体による画像の印刷を伴わずにシート処理を行うことが可能なシート処理装置も知られている。特許文献１及び２には、印刷装置本体による画像の印刷に伴ってシート処理を行う機能と、印刷装置本体による画像の印刷に伴わずにシート処理を行う機能とを備える印刷装置が開示されている。
【先行技術文献】
【特許文献】
【０００５】
【特許文献１】特開２０１４−１６２５９０号公報
【特許文献２】特開２０１４−１１５４２５号公報
【発明の概要】
【発明が解決しようとする課題】
【０００６】
「印刷装置本体による画像の印刷に伴わずにシート処理を行う」機能のユースケースとして、例えば次のような場合が考えられる。ユーザの手元には、１０枚のシートがステイプルで綴じられた１冊の資料があり、ステイプルの位置は右上コーナーの１箇所であるものとする。ユーザは、この資料をコピーして元の資料と同様に右上コーナーの１箇所が綴じられたものを、元の資料を含めて５冊（即ち、新たに４冊）作成したいと考える。
【０００７】
このとき、ユーザはまず手元にある資料のステイプルを取り外してから、１０枚のシートをリーダ部にセットする。そして、右上コーナーの１箇所にステイプルすることを設定するとともに印刷部数を「４」に設定し、スタートボタンを押下すると、右上コーナーの１箇所がステイプルで綴じられた資料が４冊できる。残りの１冊は、ステイプルを外した元の資料の右上コーナーの１箇所をステイプルし直せば出来上がる。この最後の１冊をステイプルし直すときに、「印刷装置本体による画像の印刷に伴わずにシート処理を行う」機能が利用される。
【０００８】
しかしながら、「印刷装置本体による画像の印刷に伴わずにシート処理を行う」機能を用いて元の資料をステイプルし直すための設定に手間がかかるという問題がある。具体的には、「印刷装置本体による画像の印刷に伴わずにシート処理を行う」機能において「右上コーナー」、「右下コーナー」、「ダブル」といった複数の位置にステイプルすることが可能である場合、ステイプル位置を選択するのに手間がかかる。また、間違った位置を選択すると、新たに作成した４冊と元の資料の１冊との間でステイプル位置の相違が発生してしまう。また、ステイプル位置だけでなく、ステイプルの方法として針を用いたステイプルと針を用いないステイプルの両方が備えられている場合にも、どちらの方法を用いるかの選択に手間がかかるという問題がある。
【０００９】
本発明は、上記の課題に鑑みなされたものであり、コピーのために読み取った複数枚のシートを綴じるための操作を簡略化することができる仕組みを提供することを目的とする。
【課題を解決するための手段】
【００１０】
上記の目的を達成するために本発明の印刷装置は、綴じ処理を実行する綴じ処理手段と、原稿上の画像を読み取って画像データを生成する読取手段と、前記読取手段が生成した画像データに基づきシートに画像を印刷する印刷手段と、前記印刷手段によって画像が印刷されたシートに対して前記綴じ処理手段による綴じ処理が実行される場合に、当該綴じ処理の内容に関連する情報を格納する格納手段と、前記印刷手段による画像の印刷を伴わずに前記綴じ処理手段による綴じ処理を実行する場合に、前記格納手段に格納された情報に基づいて綴じ処理の設定を行う設定手段と、を備えることを特徴とする。
【発明の効果】
【００１１】
本発明によれば、コピーのために読み取った複数枚のシートを綴じるための操作を簡略化することができる。
【図面の簡単な説明】
【００１２】
【図１】本発明の実施形態における印刷装置のハードウェアブロック図
【図２】本発明の実施形態における印刷装置の断面図
【図３】本発明の実施形態におけるフィニッシャ部５００の外観図
【図４】本発明の実施形態における印刷装置の操作部１７０の外観図
【図５】本発明の実施形態における印刷装置の操作部１７０に表示される操作画面
【図６】本発明の実施形態における印刷装置の操作部５２０の外観図
【図７】本発明の実施形態における印刷装置の動作を示すフローチャート
【図８】本発明の実施形態における印刷装置の動作を示すフローチャート
【発明を実施するための形態】
【００１３】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１４】
まず、図１を参照して、本発明の一実施形態を示す印刷装置の全体構成について説明する。２００は、原稿画像を光学的に読み取り、画像データに変換するリーダ部（画像読取部）である。リーダ部２００は、原稿を読み取るための機能を有するスキャナユニット２１０と、原稿用紙を搬送するための機能を有する原稿給紙ユニット（ＤＦユニット）２５０を備える。
【００１５】
３００は、シートを搬送し、その上に画像データを可視画像として印字して装置外に排紙するプリンタ部（画像出力部）である。プリンタ部３００は、複数のカセットを有する給紙ユニット３１０と、画像データをシートに転写、定着させる機能を有するマーキングユニット３２０とを備える。プリンタ部３００は、さらに画像が印刷されたシートを機外へ出力する機能を有する排紙ユニット３３０と、ステイプル処理、ソート処理を行うフィニッシャ部（フィニッシャユニット）５００とを備える。
【００１６】
制御装置１１０は、ＣＰＵ１２０、画像メモリ１３０、不揮発メモリ１４０、ＲＡＭ１５０、ＲＯＭ１６０、及び操作部１７０を備える。制御装置１１０は、リーダ部２００、プリンタ部３００と電気的に接続されている。そして、制御装置１１０内のＣＰＵ１２０は、リーダ部２００を制御して、原稿の画像データを画像メモリ１３０に読込み、プリンタ部３００を制御して画像メモリ１３０内の画像データをシートに印刷するコピー機能を提供する。
【００１７】
なお、制御装置１１０は１つのＣＰＵ１２０が１つのメモリ（ＲＡＭ１５０）を用いて後述するフローチャートに示す各処理を実行するものとするが、他の態様であっても構わない。例えば、複数のＣＰＵや複数のＲＡＭ、或いはＨＤＤやＳＳＤを協働させて各処理を実行するようにすることもできる。また、後述する処理の一部をＡＳＩＣ（Ａｐｐｌｉｃａｔｉｏｎ  Ｓｐｅｃｉｆｉｃ  ｉｎｔｅｇｒａｔｅｄ  Ｃｉｒｓｕｉｔ）等のハードウェア回路を用いて実行するようにしても良い。
【００１８】
不揮発メモリ１４０には、各種調整値が格納される。ＲＡＭ１５０は、ＣＰＵ１２０のワーク領域として使用される。ＲＯＭ１６０には、ＣＰＵ１２０の制御プログラムが格納されている。操作部１７０は、液晶表示部と液晶表示部上に張り付けられたタッチパネル入力装置と、複数個のハードキーとを有する。タッチパネル又はハードキーにより入力された信号はＣＰＵ１２０に伝えられ、液晶表示部には、印刷装置全体の操作における機能表示や画像データ等が表示される。
【００１９】
次に、図２及び図３を参照して、本実施形態におけるリーダ部２００、プリンタ部３００、及びフィニッシャ部５００について説明する。リーダ部２００において、原稿給紙ユニット（フィーダ）２５０は、原稿を先頭から順に１枚ずつプラテンガラス２１１上へ給送し、原稿の読み取り動作が終了すると、プラテンガラス２１１上の原稿を排出トレイ２１９に排出する。原稿がプラテンガラス２１１上に搬送されると、ランプ２１２が点灯するとともに、光学ユニット２１３が移動を開始して、原稿を露光走査する。この時の原稿からの反射光は、ミラー２１４、２１５、２１６及びレンズ２１７によってＣＣＤイメージセンサ（以下、ＣＣＤと称する。）２１８へ導かれる。このように、走査された原稿の画像は、ＣＣＤ２１８によって読み取られる。ＣＣＤ２１８から出力される画像データは、所定の処理が施された後、制御装置１１０へ転送される。
【００２０】
次にプリンタ部３００について説明する。プリンタ部３００において、３２１はレーザドライバであり、レーザ発光部３２２を駆動し、制御装置１１０から出力された画像データに応じたレーザ光をレーザ発光部３２２に発光させる。このレーザ光は、感光ドラム３２３に照射され、感光ドラム３２３にはレーザ光に応じた潜像が形成される。この感光ドラム３２３の潜像の部分には現像器３２４によって現像剤が付着される。
【００２１】
また、プリンタ部３００は、給紙ユニット３１０として、それぞれ引き出し状の形状をしたカセット３１１、３１２、３１３、３１４を備える。プリンタ部３００は、カセット３１１、３１２、３１３、３１４のいずれかからシートを給送し、転写部３２５へ搬送路３３１を介して搬送する。転写部３２５は、感光ドラム３２３に付着された現像剤をシートに転写する。現像剤が転写されたシートは、搬送ベルト３２６によって、定着部３２７へ搬送される。ここで、定着部３２７の熱と圧力により現像剤がシートに定着される。その後、定着部３２７を通過したシートは、搬送路３３５、３３４を通り、装置の外へ排出される。或いは、印字面を反転して排出する場合には、搬送路３３６、３３８まで導かれ、そこからシートを逆方向に搬送し、搬送路３３７、３３４を通って排出される。
【００２２】
また、両面印刷が設定されている場合は、定着部３２７を通過したあと、搬送路３３６からフラッパ３２９によって、搬送路３３３にシートを導き、その後、逆方向に搬送し、フラッパ３２９によって、搬送路３３８、再給紙搬送路３３２へ導く。再給紙搬送路３３２へ導かれたシートは、上述したタイミングで搬送路３３１を通り、転写部３２５へ給紙される。片面、両面形成にかかわらず、搬送路３３４から排出されたシートはフィニッシャ部５００へ搬送される。
【００２３】
次に、フィニッシャ部５００について説明する。図３は、フィニッシャ部５００の外観図である。ここでは、フィニッシャ部５００が針を用いて複数枚のシートを綴じるステイプル機能を有する例について説明するが、本発明はこれに限定されない。例えば、針を用いずにシートをかしめることによって綴じる針無しステイプル機能や、製本、糊付け、折り、パンチ等の機能を有するものであってもよい。フィニッシャ部５００へ搬送されたシートは、まずバッファユニット５０１へ送られる。バッファユニット５０１は、搬送されてきたシートをバッファリングする場合に使用される。例えば、この下流で行われるステイプル処理に時間がかかる場合は、このバッファユニットを利用することによって本体から搬送されてくるシートの搬送速度を一定に保つことができ、スループットの向上に役立たせることが可能である。そして、シートは、上流排出ローラ対５０２、下流排出ローラ対５０３で排紙口５１０を経由し排出トレイ５０７に排出される。
【００２４】
また、印刷に伴うシート処理としてステイプルが指定されている場合は、上流排出ローラ対５０２で搬送されシートの後端がこれを抜けた直後、ローレットベルト５０４によって引き戻され、スタックトレイ５０５に排出される。そして、所定の枚数分のシートが積載されたあと、ステイプルユニット５０６によってステイプル処理が行われた後に、下流排出ローラ対５０３により排出トレイ５０７に排出される。また、シフトソート時にはスタックトレイに積まれた用紙を左右にずらして排出することによって、部ごとの切れ目を表現する。
【００２５】
また、通常のステイプルとは別に、ユーザがシート束をスタックトレイ５０５に直接挿入し、シート束検知センサ５２６がシート束を検知すると、スタックトレイ５０５のシート束に対してステイプルユニット５０６でステイプルするオフラインモードがある。このオフラインモードは、フィニッシャ部５００の上部に設けられたオフラインモード用の操作部５２０を介した操作に基づいて制御される。
【００２６】
次に、図４を参照して図１に示す操作部１７０について説明する。６００は、主なモード設定、状況表示を行うためのＬＣＤタッチパネルである。６０１は、０〜９までの数値を入力するためのテンキーである。６０２は、装置が部門管理されている場合に部門番号と暗証モードを入力する際に使用されるＩＤキーである。
【００２７】
６０３は、設定されたモードをリセットするためのリセットキーである。６０４は、各モードについての説明画面を表示するためのガイドキーである。６０５は、ユーザモード画面に入るためのユーザモードキーである。６０６は、割り込みコピーを行うための割り込みキーである。
【００２８】
６０７は、コピー動作をスタートさせるためのスタートキーである。６０８は、実行中のコピージョブを中止させるためのストップキーである。６０９は、押下することによりＬＣＤ６００のバックライトが消え装置は低電力状態に移行するソフト電源ＳＷである。６１０は、押下することで節電状態に入り、再度押下することで節電状態から復帰する節電キーである。
【００２９】
６１４は、ＬＣＤタッチパネルのコントラストを調整するための調整キーである。６１５はカウンタ確認キーであり、このキーを押下することでそれまでに使用したコピー枚数の集計を表示するカウント画面がＬＣＤ上に表示される。６１６は、ジョブの実行中、画像メモリへの画像蓄積中を示すＬＥＤである。６１７は、ジャム、ドアオープン等装置がエラー状態にあることを示すエラーＬＥＤである。６１８は、装置のメインスイッチがＯＮになっていることを示す電源ＬＥＤである。
【００３０】
図５（ａ）及び（ｂ）は、ＬＣＤタッチパネル６００に表示される操作画面である。図示した画面は、プリンタ部３００による印刷に伴って実行するステイプル処理に関する設定を行うための画面である。なお、ここでは針を用いたステイプルに関する設定のみを説明するが、針を用いないステイプルや、製本、糊付け、折り、パンチなども他の画面で設定可能である。
【００３１】
６３１は、コーナー部分の１箇所を綴じる場合に押下するキーである。６３２は、１つの辺に沿って２箇所を綴じる場合に押下するキーである。キー６３１が押下されると図５（ａ）に示す画面が表示され、４つのコーナーのうちどのコーナーを綴じるかを指定することができる。６３３、６３４、６３５、６３６は、それぞれ左上、左下、右上、右下を指定するためのキーである。図５（ａ）では、右上が選択された状態を示している。
【００３２】
キー６３２が押下されると図５（ｂ）に示す画面が表示され、右側と左側のどちらの辺を綴じるかを指定することができる。６３７、６３８は、それぞれ左側、右側を指定するためのキーである。図５（ｂ）では、右側が選択された状態を示している。
【００３３】
次に、図６を参照して、フィニッシャ部５００に備えられた操作部５２０について詳細に説明する。５２２は、印刷を伴わずにステイプル処理を実行するためのオフラインモードに移行させるために操作されるモードキーである。また、モードキー５２２は、オフラインモードで実行されるステイプルの位置を選択するのにも使用される。
【００３４】
フィニッシャ部５００は、５２４に図示するように、「ダブル」、「右下コーナー」、「右上コーナー」の３つの選択肢からステイプル位置を選択できるようになっている。最初にモードキー５２２が押下されると、デフォルト値である「ダブル」が選択された状態となっている。続けてモードキー５２２が押下されると、押下される毎に「右下コーナー」、「右上コーナー」、「ダブル」・・・とトグル状に切り替えられる。５２３は、選択状態にあるものを示すための発光部（ＬＥＤランプ）であり、図示した例では「ダブル」が選択された状態になっている。
【００３５】
５２１は、ステイプル処理の実行指示を行う場合にユーザによって操作される実行キーである。モードキー５２２を押下するとともにシート束をスタックトレイ５０５へ挿入した後に実行キー５２１が押下されると、ステイプル処理が実行される。ステイプル処理の実行後は、オフラインモードはすぐに解除されるものとするが、ユーザによる操作や所定時間の経過を待ってから解除するようにしても良い。ユーザによる操作や所定時間の経過を待つ場合は、ステイプル位置の選択はそのまま維持されるものとする。
【００３６】
図７は、コピー処理を実行するときの動作を説明するフローチャートである。図７のフローチャートに示す各動作（ステップ）は、ＣＰＵ１２０がＲＯＭ１６０に記憶された制御プログラムを実行することにより実現される。
【００３７】
ステップＳ７０１では、ユーザからコピーの実行指示があったか否かを判定する。ユーザは、コピー機能を選択した状態でスタートキー６０７を押下することによってコピーの実行を指示することができる。コピーの実行指示があったと判定するとステップＳ７０２に進み、コピーの実行指示がないと判定すると処理を終了する。
【００３８】
ステップＳ７０２では、ステイプル位置情報がＲＡＭ１５０に格納されているか否かを判定する。ステイプル位置情報の格納については、ステップＳ７０９で後述する。ステイプル位置情報が格納されていると判定するとステップＳ７０３に進み、ステイプル位置情報が格納されていないと判定するとステップＳ７０４に進む。ステップＳ７０３では、格納されているステイプル位置情報を削除する。
【００３９】
ステップＳ７０４では、原稿の読み取りを行って、原稿上の画像に基づく画像データを生成する。ステップＳ７０５では、ステップＳ７０４で生成された画像データに基づいてシートへの画像の印刷を行う。ステップＳ７０６では、画像が印刷されたシートに対してシート処理を行うことが指定されているか否かを判定する。シート処理を行うことが指定されていると判定するとステップＳ７０７に進み、シート処理を行うことが指定されていないと判定すると処理を終了する。
【００４０】
ステップＳ７０７では、指定されたシート処理を実行する。なお、ここでは針を用いたステイプルの他に、針無しステイプルや、製本、糊付け、折り、パンチ等のうちの１つが実行される。ステップＳ７０８では、ステップＳ７０７で実行されたシート処理がステイプルであるか否かを判定する。実行されたシート処理がステイプルであると判定するとステップＳ７０９に進み、実行されたシート処理がステイプルでないと判定すると処理を終了する。
【００４１】
ステップＳ７０９では、実行されたステイプル処理の位置を示すステイプル位置情報をＲＡＭ１５０に格納する。ステイプル位置情報には、「コーナー」または「ダブル」を示す情報と、「コーナー」の場合は更に「左上」、「左下」、「右上」、「右下」のいずれであるかを示す情報が含まれる。
【００４２】
次に、図８は、オフラインモードでのステイプル処理を実行するときの動作を説明するフローチャートである。図８のフローチャートに示す各動作（ステップ）は、ＣＰＵ１２０がＲＯＭ１６０に記憶された制御プログラムを実行することにより実現される。
【００４３】
ステップＳ８０１では、モードキー５２２が押下された否かを判定する。モードキー５２２が押下されたと判定するとステップＳ８０２に進み、モードキー５２２が押下されていないと判定すると処理を終了する。ステップＳ８０２では、ステイプル位置情報がＲＡＭ１５０に格納されているか否かを判定する。ステイプル位置情報が格納されている場合、そのステイプル位置情報は図７のステップＳ７０９で格納されたものということになる。ステイプル位置情報が格納されていると判定するとステップＳ８０３に進み、ステイプル位置情報が格納されていないと判定するとステップＳ８０４に進む。
【００４４】
ステップＳ８０３では、格納されているステイプル位置情報に従って綴じ位置を設定する。具体的には、ステイプル位置情報が「ダブル」を示す場合は、図６の左側に示した「ダブル」が選択された状態とする。ステイプル位置情報が「コーナー」の「左上」または「右下」を示す場合は、図６の真ん中に示した「右下コーナー」が選択された状態とする。ステイプル位置情報が「コーナー」の「右上」または「左下」を示す場合は、図６の右側に示した「右上コーナー」が選択された状態とする。
【００４５】
これにより、ステップＳ７０７で「ダブル」の「右側」にステイプルする処理が行われた場合は、原稿束の表側を上にして且つ画像の天を奥側にしてセットすると、コピーの成果物と同じ位置にステイプル処理が施される。また、ステップＳ７０７で「ダブル」の「右側」にステイプルする処理が行われた場合は、原稿束の表側を上にして画像の天を手前側にしてセットすると、コピーの成果物と同じ位置にステイプル処理が施される。なお、ここでは印刷装置に対してユーザが立つ位置を手前側とする。
【００４６】
また、ステップＳ７０７で「コーナー」の「右上」または「右下」にステイプルする処理が行われた場合は、原稿束の表側を上にして画像の天を奥側にしてセットすると、コピーの成果物と同じ位置にステイプル処理が施される。また、ステップＳ７０７で「コーナー」の「左上」または「左下」にステイプルする処理が行われた場合は、原稿束の表側を上にして画像の天を手前側にしてセットすると、コピーの成果物と同じ位置にステイプル処理が施される。
【００４７】
このように、ステップＳ７０９で格納されたステイプル位置情報に基づいて操作部５２０におけるステイプル位置の選択状態を自動的に切り替えることにより、ユーザによる選択の手間を軽減するとともに、ステイプル位置の選択間違いを防止することができる。
【００４８】
ステップＳ８０４では、デフォルトの綴じ位置を選択状態とする。ここでは、デフォルトの綴じ位置である「ダブル」（図６の左側に示したもの）が選択された状態となるものとする。ステップＳ８０５では、モードキー５２２が押下された否かを判定する。モードキー５２２が押下されたと判定するとステップＳ８０６に進み、モードキー５２２が押下されていないと判定するとステップＳ８０７に進む。
【００４９】
ステップＳ８０６では、選択されているステイプル位置の切り替えを行う。具体的には、現在選択されているのが「ダブル」の場合は、「右下コーナー」が選択された状態に遷移する。また、現在選択されているのが「右下コーナー」の場合は、「右上コーナー」が選択された状態に遷移する。また、現在選択されているのが「右上コーナー」の場合は、「ダブル」が選択された状態に遷移する。このように、ステップＳ８０３で自動的に設定された綴じ位置も、ユーザによって変更可能としている。
【００５０】
ステップＳ８０７では、実行キー５２１が押下されたか否かを判定する。実行キー５２１が押下されたと判定するとステップＳ８０８に進み、実行キー５２１が押下されていないと判定するとステップＳ８０５に戻る。ステップＳ８０８では、選択されている位置（「ダブル」、「右下コーナー」、または「右上コーナー」）にステイプル処理を実行する。
【００５１】
ステップＳ８０９では、ステイプル位置情報がＲＡＭ１５０に格納されているか否かを判定する。ステイプル位置情報が格納されていると判定するとステップＳ８１０に進み、ステイプル位置情報が格納されていないと判定すると処理を終了する。ステップＳ８１０では、格納されているステイプル位置情報を削除する。
【００５２】
以上説明したように、印刷装置は、プリンタ部３００によって画像が印刷されたシートに対してステイプル処理が実行される場合に、当該ステイプル処理の綴じ位置に関連する情報をＲＡＭ１５０に格納する。そして、プリンタ部３００による画像の印刷を伴わずにステイプル処理を実行する場合に、ＲＡＭ１５０に格納された情報に基づいて綴じ位置の設定を行う。これにより、コピーのために読み取った複数枚のシートを綴じるための操作を簡略化することができる。
【００５３】
なお、ステップＳ７０３でステイプル位置情報を削除するのは、あるコピージョブを実行した後に、オフラインモードでのステイプル処理を実行せずに別のコピージョブが実行される場合を想定したものである。即ち、オフラインモードでのステイプル処理を実行せずに別のコピージョブが実行される場合は、最初のコピージョブにおけるステイプル処理に関連する情報はもはや不要であるため、削除するようにしている。
【００５４】
また、ステップＳ８１０でステイプル位置情報を削除するのは、オフラインモードにおいてコピージョブの成果物と同じようにステイプル処理を実行したいのは、１つのコピージョブに対して１回であると考えられるためである。即ち、ＲＡＭ１５０に格納されたステイプル位置情報に基づいてオフラインモードでのステイプル処理が１回実行されると、それ以降はそのステイプル位置情報はもはや不要であるため削除するようにしている。
【００５５】
＜他の実施形態＞
なお、上述した説明では、「コーナー」または「ダブル」を示す情報と、「コーナー」の場合は更に「左上」、「左下」、「右上」、「右下」のいずれであるかを示す情報をステイプル位置情報としてＲＡＭ１５０に格納する例を示した。これに代えて、ステップＳ７０７で実行されたステイプル処理の綴じ位置に基づいて「ダブル」、「右下コーナー」、「右上コーナー」のいずれかを選択し、選択した綴じ位置を示す情報をステイプル位置情報としてＲＡＭ１５０に格納するようにしても良い。
【００５６】
また、図５に示す画面及び図６に示す操作部５２０で、シート処理の内容として、針を用いたステイプル処理を実行するか針を用いないステイプル処理を実行するかを指定できるようにしても良い。この場合、ステップＳ７０７でどちらの処理が実行されたかをステップＳ７０９でＲＡＭ１５０に格納し、ステップＳ８０３ではＲＡＭ１５０に格納された情報に基づいて針を用いたステイプル処理と針を用いないステイプル処理のいずれかが自動的に設定される。なお、図５に示す画面においてユーザが針を用いないステイプル処理を指定したとしても、処理可能な上限枚数の関係によりステップＳ７０７で針を用いたステイプル処理が実行されると、ステップＳ７０９では針を用いたステイプル処理を示す情報が格納される。
【００５７】
また、本発明の目的は、以下の処理を実行することによっても達成される。即ち、上述した実施形態の機能を実現するソフトウェアのプログラムコードを記録した記憶媒体をシステム或いは装置に供給し、そのシステム或いは装置のコンピュータ（またはＣＰＵやＭＰＵ等）が記憶媒体に格納されたプログラムコードを読み出す処理である。
【００５８】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００５９】
２００  リーダ部
３００  プリンタ部
５２１  実行キー
５２２  モードキー
【図１】
2016123039.tif 000003
【図２】
2016123039.tif 000004
【図３】
2016123039.tif 000005
【図４】
2016123039.tif 000006
【図５】
2016123039.tif 000007
【図６】
2016123039.tif 000008
【図７】
2016123039.tif 000009
【図８】
2016123039.tif 000010